(57)【要約】【課題】  他の電子機器等に影響を及ぼすことがなく、容易に設置することができ、消費電力を低減することができるインターホン装置を提供する。【解決手段】  通話装置Ａと通話装置Ｂとの間で互いに音声信号を送受信することにより双方向の通話を可能としたインターホン装置において、通話装置Ａ、Ｂは、空間に光信号６ａ、６ｂを発光する発光部４ａ、４ｂと、空間を介して光信号６ｂ、６ａを受光する受光部５ａ、５ｂと、マイク２ａ、２ｂからの音声信号を信号処理して発光部４ａ、４ｂに与え受光部５ａ、５ｂからの電気信号を音声信号に変換してスピーカ１ａ、１ｂに与える音声制御部７ａ、７ｂをそれぞれ備えるとともに、受光部５ｂの光信号６ａの受光量に基づいて発光部４ａの発光量を調整し、受光部５ａの光信号６ｂの受光量に基づいて発光部４ｂの発光量を調整する発光量調整手段を備える。【選択図】        図１
2006033378.tif 000002
【特許請求の範囲】
【請求項１】
第１の通話装置と第２の通話装置との間で互いに音声信号を送受信することにより双方向の通話を可能としたインターホン装置において、
第１、第２の通話装置は、与えられた信号に基づいて空間に光信号を発光する発光部と、空間を介して受光した他方の通話装置の発光部が発光した光信号を電気信号に変換する受光部と、マイクからの音声信号を信号処理して前記発光部に与え前記受光部からの電気信号を音声信号に変換してスピーカに与える音声制御部とをそれぞれ備えるとともに、一方の通話装置の受光部の光信号の受光量に基づいて他方の通話装置の発光部の発光量を調整する発光量調整手段を備えることを特徴とするインターホン装置。
【請求項２】
第１の通話装置と第２の通話装置との間で互いに音声信号を送受信することにより双方向の通話を可能としたインターホン装置において、
第１の通話装置は、与えられた信号に基づいて空間に第１の光信号を発光する第１の発光部と、空間を介して受光した第２の光信号を電気信号に変換する第１の受光部と、第１のマイクからの音声信号を信号処理して第１の発光部に与えるとともに第１の受光部からの電気信号を音声信号に変換して第１のスピーカに与える第１の音声制御部とを備え、
第２の通話装置は、与えられた信号に基づいて空間に第２の光信号を発光する第２の発光部と、空間を介して受光した第１の光信号を電気信号に変換する第２の受光部と、第２のマイクからの音声信号を信号処理して第２の発光部に与えるとともに第２の受光部からの電気信号を音声信号に変換して第２のスピーカに与える第２の音声制御部とを備え、
第１、第２の通話装置は、第２の受光部の第１の光信号の受光量に基づいて第１の発光部の発光量を調整し、第１の受光部の第２の光信号の受光量に基づいて第２の発光部の発光量を調整する発光量調整手段を備えることを特徴とするインターホン装置。
【請求項３】
第１の発光部は、第１の光信号を発光する第１の発光ダイオードと、与えられた信号に基づいて第１の発光ダイオードを駆動する第１の発光駆動部とを有し、
第１の受光部は、受光した第２の光信号を電気信号に変換する第１の光電素子を有し、
第２の発光部は、第２の光信号を発光する第２の発光ダイオードと、与えられた信号に基づいて第２の発光ダイオードを駆動する第２の発光駆動部とを有し、
第２の受光部は、受光した第１の光信号を電気信号に変換する第２の光電素子を有することを特徴とする請求項２に記載のインターホン装置。
【請求項４】
前記発光量調整手段は、
第１の受光部に設けられ受光した第２の光信号の光量を電圧に変換する第１の光電セルと、
第１の発光駆動部に設けられ与えられる調整指示に基づいて第１の発光ダイオードの発光量を調整する第１の発光量調整部と、
第１の通話装置に設けられ発光量調整モードになったことを認識した場合に、第１の試験信号を生成して第１の発光駆動部に与え、そのときの第１の光電素子からの電気信号を変換した第２の比較結果信号が示す比較結果に基づいて第１の発光量調整部に調整指示を与えるとともに、第１の光電素子からの電気信号が第２の試験信号であると認識した場合には第１の光電セルからの電圧の値と第１の所定電圧値との比較結果を第１の比較結果信号として第１の発光駆動部に与える第１の処理装置と、
第２の受光部に設けられ受光した第１の光信号の光量を電圧に変換する第２の光電セルと、
第２の発光駆動部に設けられ与えられる調整指示に基づいて第２の発光ダイオードの発光量を調整する第２の発光量調整部と、
第２の通話装置に設けられ発光量調整モードになったことを認識した場合に、第２の試験信号を生成して第２の発光駆動部に与え、そのときの第２の光電素子からの電気信号を変換した第１の比較結果信号が示す比較結果に基づいて第２の発光量調整部に調整指示を与えるとともに、第２の光電素子からの電気信号が第１の試験信号であると認識した場合には第２の光電セルからの電圧の値と第２の所定電圧値との比較結果を第２の比較結果信号として第２の発光駆動部に与える第２の処理装置と、
を有することを特徴とする請求項３に記載のインターホン装置。
【請求項５】
第１の所定電圧値を、第１の光電素子が安定して動作するために必要な最低限の受光量を第１の光電セルの受光量に換算し、その受光量を与えられたときの第１の光電セルの出力電圧の値とし、
第２の所定電圧値を、第２の光電素子が安定して動作するために必要な最低限の受光量を第２の光電セルの受光量に換算し、その受光量を与えられたときの第２の光電セルの出力電圧の値とすることを特徴とする請求項４に記載のインターホン装置。
【請求項６】
第１の発光ダイオードが発光する光の波長と第２の発光ダイオードが発光する光の波長とが異なることを特徴とする請求項３〜請求項５のいずれかに記載のインターホン装置。
【請求項７】
第１、第２の発光ダイオードの一方の発光ダイオードが発光する光は、波長が８５００オングストローム〜９５００オングストロームの赤外光であり、他方の発光ダイオードが発光する光は、波長が６０００オングストローム〜７５００オングストロームの可視光であることを特徴とする請求項６に記載のインターホン装置。
【請求項８】
第１、第２の通話装置のそれぞれは、電池を駆動電源としていることを特徴とする請求項１〜請求項７のいずれかに記載のインターホン装置。
【請求項９】
第１、第２の通話装置のそれぞれは、待機中である場合に前記電池の電力を起動に必要な部分に供給する電源供給部を備えていることを特徴とする請求項８に記載のインターホン装置。
【請求項１０】
第１、第２の通話装置は、同じ形状及び構造であることを特徴とする請求項１〜請求項９のいずれかに記載のインターホン装置。
【発明の詳細な説明】
【技術分野】
【０００１】
本発明は、室内に設置されるインターホン親機と室外に設置されるインターホン子機との間で音声信号を送受信することにより双方向の通話ができるようにしているインターホン装置に関するものであり、特に、容易に設置することができるインターホン装置に関するものである。
【背景技術】
【０００２】
従来のインターホン装置には、室内に設置されるインターホン親機と室外に設置されるインターホン子機との間を伝送ケーブル等の信号線で接続し、この信号線を介して音声信号を送受信することにより双方向の通話ができるようにしているものが多い。また、光ファイバを伝送路に用いた光インターホンもある（例えば、特許文献１参照）。
【特許文献１】特開昭６２―２８３７２７号公報
【発明の開示】
【発明が解決しようとする課題】
【０００３】
ところで、プライバシーの保護やセキュリティーの面から、また、機密保持や密閉性の維持というような面などから、インターホン装置が設置されていない家の玄関や部屋等に新たにインターホン装置を設置したいという要望がある。
【０００４】
これは、例えば、インターホン装置が設置されていない家の玄関や部屋等の場合、来訪者のノックや呼びかけに対して室内にいる者が来訪者を確認するための返答をする際や、来訪者と会話をする際に、上記の面を考慮して玄関や部屋のドアを開けなければ、室内にいる者と来訪者はそのドア越しに会話をする必要があり、会話がしづらくなったり、場合によっては会話できないことがあったりするからである。
【０００５】
しかしながら、インターホン装置が設置されていない家の玄関や部屋等に新たにインターホン装置を設置する場合、従来のインターホン装置は伝送ケーブル等の信号線や光ファイバーをその家や部屋の壁などに穴を開けて通す必要があり、設置工事が大がかりになるという問題があった。
【０００６】
この場合、ワイヤレス方式で音声信号を伝送すれば、伝送ケーブル等の信号線や光ファイバーは不要となり、それらを通す工事は必要なくなるが、ワイヤレス方式として電波を用いる場合、発信される電波が周辺の電子機器に誤動作を発生させるなどの影響を及ぼす可能性があり、病院等の医療機器が設置されているところでは電波の発信はできないという規制もある。また、電波で音声信号を伝送するインターホン装置を近い位置に複数設置する場合には、それぞれのインターホン装置から発信される電波同士の干渉を防止しなければならず、それぞれのインターホン装置が発信する電波の周波数等の調整が必要であり、容易に設置できないという問題があった。
【０００７】
また、ワイヤレス方式として光を用いる場合、即ち、音声信号を光信号に変換し、その光信号を光ファイバーなどを介さず空間を伝送する場合、光信号の受信状態はインターホン親機とインターホン子機の設置位置や、光信号が伝送される空間の状態によって変化する。
【０００８】
例えば、インターホン親機とインターホン子機とが、いずれか一方の投光部と他方の受光部の光軸がずれた位置に設置されている場合、前記他方の受光部の受信する光信号の光量は、前記光軸が合っている場合に比して低減する。また、インターホン親機とインターホン子機との間に窓ガラス等の介在物が存在する場合、その介在物によって光信号は減衰する。
【０００９】
そこで、予め、光信号の発光量をある程度多くなるように設定しておけば、上記のような場合であっても、光信号を伝送して通話することが可能となる可能性が高くなる。しかしながら、そのようにすると、大量の発光をさせるために消費電力が増大するという問題があった。特に、駆動電源として電池を使用しているインターホン装置の場合には、発光のための大きな消費電力で電池が急速に消耗してしまい、短時間で使用できなくなるという問題があった。
【００１０】
従って、ワイヤレス方式として光を用いた従来のインターホン装置は、設置する場合にインターホン親機とインターホン子機の設置位置の調整や、発光量を適切な量に調整する調整作業が必要であり、容易に設置できないという問題があった。
【００１１】
本発明は、上記の点に鑑み、他の電子機器等に影響を及ぼすことがなく、容易に設置することができ、消費電力を低減することができるインターホン装置を提供することを目的とする。
【課題を解決するための手段】
【００１２】
上記目的を達成するために、請求項１の発明は、第１の通話装置と第２の通話装置との間で互いに音声信号を送受信することにより双方向の通話を可能としたインターホン装置において、第１、第２の通話装置は、与えられた信号に基づいて空間に光信号を発光する発光部と、空間を介して受光した他方の通話装置の発光部が発光した光信号を電気信号に変換する受光部と、マイクからの音声信号を信号処理して前記発光部に与え前記受光部からの電気信号を音声信号に変換してスピーカに与える音声制御部とをそれぞれ備えるとともに、一方の通話装置の受光部の光信号の受光量に基づいて他方の通話装置の発光部の発光量を調整する発光量調整手段を備えるようにしたものである。
【００１３】
この構成によれば、一方の通話装置のマイクからの音声信号が光信号に変換され、その光信号が前記一方の通話装置の発光部から他方の通話装置の受光部へ空間を介して光伝送され、前記他方の通話装置の音声制御部で音声信号に変換されて前記他方の通話装置のスピーカに与えられる。即ち、第１の通話装置と第２の通話装置との間で音声信号を空間を介した光伝送で送受信して双方向に通話をすることができる。従って、インターホン装置を設置する際に、第１の通話装置と第２の通話装置との間に音声信号を伝送するための伝送ケーブル等の信号線や光ファイバー等を設ける必要がなくなる。
【００１４】
また、一方の通話装置の受光部の光信号の受光量に基づいて他方の通話装置の発光部の発光量が調整されるので、第１、第２の通話装置の発光部の発光量が適切な発光量に調整されることにより第１、第２の通話装置の発光のための消費電力が低減されるとともに、第１、第２の通話装置の設置状況に応じて第１、第２の通話装置の発光部の発光量を調整することなく、第１の通話装置と第２の通話装置との間で信号を安定して光伝送することができる。
【００１５】
また、請求項２の発明は、第１の通話装置と第２の通話装置との間で互いに音声信号を送受信することにより双方向の通話を可能としたインターホン装置において、第１の通話装置は、与えられた信号に基づいて空間に第１の光信号を発光する第１の発光部と、空間を介して受光した第２の光信号を電気信号に変換する第１の受光部と、第１のマイクからの音声信号を信号処理して第１の発光部に与えるとともに第１の受光部からの電気信号を音声信号に変換して第１のスピーカに与える第１の音声制御部とを備え、第２の通話装置は、与えられた信号に基づいて空間に第２の光信号を発光する第２の発光部と、空間を介して受光した第１の光信号を電気信号に変換する第２の受光部と、第２のマイクからの音声信号を信号処理して第２の発光部に与えるとともに第２の受光部からの電気信号を音声信号に変換して第２のスピーカに与える第２の音声制御部とを備え、第１、第２の通話装置は、第２の受光部の第１の光信号の受光量に基づいて第１の発光部の発光量を調整し、第１の受光部の第２の光信号の受光量に基づいて第２の発光部の発光量を調整する発光量調整手段を備えるようにしたものである。
【００１６】
この構成によれば、第１の通話装置の第１のマイクからの音声信号が第１の光信号に変換されて第１の発光部から第２の通話装置の第２の受光部へ空間を介して光伝送され、第２の通話装置の第２の音声制御部で音声信号に変換されて第２のスピーカに与えられる。また、第２の通話装置の第２のマイクからの音声信号が第２の光信号に変換されて第２の発光部から第１の通話装置の第１の受光部へ空間を介して光伝送され、第１の通話装置の第１の音声制御部で音声信号に変換されて第１のスピーカに与えられる。即ち、第１の通話装置と第２の通話装置との間で音声信号を空間を介した光伝送で送受信して双方向に通話をすることができる。従って、インターホン装置を設置する際に、第１の通話装置と第２の通話装置との間に音声信号を伝送するための伝送ケーブル等の信号線や光ファイバー等を設ける必要がなくなる。
【００１７】
また、第２の通話装置の第２の受光部の第１の光信号の受光量に基づいて第１の通話装置の第１の発光部の発光量が調整され、第１の通話装置の第１の受光部の第２の光信号の受光量に基づいて第１の通話装置の第１の発光部の発光量が調整されるので、第１、第２の通話装置の発光部の発光量が適切な発光量に調整されることにより第１、第２の通話装置の発光のための消費電力が低減されるとともに、第１、第２の通話装置の設置状況に応じて第１、第２の通話装置の第１、第２の発光部の発光量を調整することなく第１の通話装置と第２の通話装置との間で信号を安定して光伝送することができる。
【００１８】
また、請求項３の発明では、請求項２の発明において、第１の発光部は、第１の光信号を発光する第１の発光ダイオードと、与えられた信号に基づいて第１の発光ダイオードを駆動する第１の発光駆動部とを有し、第１の受光部は、受光した第２の光信号を電気信号に変換する第１の光電素子を有し、第２の発光部は、第２の光信号を発光する第２の発光ダイオードと、与えられた信号に基づいて第２の発光ダイオードを駆動する第２の発光駆動部とを有し、第２の受光部は、受光した第１の光信号を電気信号に変換する第２の光電素子を有するようにしている。
【００１９】
この構成によれば、第１の発光駆動部に与えられた信号に基づく第１の光信号が第１の発光ダイオードから発光され、第２の光電素子で第１の発光ダイオードが発光した第１の光信号が電気信号に変換される。即ち、第１の発光部から第２の受光部へ信号が光伝送される。また、第２の発光駆動部に与えられた信号に基づく第２の光信号が第２の発光ダイオードから発光され、第１の光電素子で第２の発光ダイオードが発光した第２の光信号が電気信号に変換される。即ち、第２の発光部から第１の受光部へ信号が光伝送される。
【００２０】
また、請求項４の発明では、請求項３の発明において、前記発光量調整手段は、第１の受光部に設けられ受光した第２の光信号の光量を電圧に変換する第１の光電セルと、第１の発光駆動部に設けられ与えられる調整指示に基づいて第１の発光ダイオードの発光量を調整する第１の発光量調整部と、第１の通話装置に設けられ発光量調整モードになったことを認識した場合に、第１の試験信号を生成して第１の発光駆動部に与え、そのときの第１の光電素子からの電気信号を変換した第２の比較結果信号が示す比較結果に基づいて第１の発光量調整部に調整指示を与えるとともに、第１の光電素子からの電気信号が第２の試験信号であると認識した場合には第１の光電セルからの電圧の値と第１の所定電圧値との比較結果を第１の比較結果信号として第１の発光駆動部に与える第１の処理装置と、第２の受光部に設けられ受光した第１の光信号の光量を電圧に変換する第２の光電セルと、第２の発光駆動部に設けられ与えられる調整指示に基づいて第２の発光ダイオードの発光量を調整する第２の発光量調整部と、第２の通話装置に設けられ発光量調整モードになったことを認識した場合に、第２の試験信号を生成して第２の発光駆動部に与え、そのときの第２の光電素子からの電気信号を変換した第１の比較結果信号が示す比較結果に基づいて第２の発光量調整部に調整指示を与えるとともに、第２の光電素子からの電気信号が第１の試験信号であると認識した場合には第２の光電セルからの電圧の値と第２の所定電圧値との比較結果を第２の比較結果信号として第２の発光駆動部に与える第２の処理装置とを有するようにしている。
【００２１】
この構成によれば、第１の処理装置は発光量調整モードになったことを認識した場合に、第１の試験信号を生成して第１の発光駆動部に与えるので、第１の発光ダイオードから第１の試験信号としての第１の光信号が発光される。そして、その第１の試験信号としての第１の光信号を受光した第２の光電素子からの電気信号が第２の処理装置に与えられ、第２の処理装置はその電気信号が第１の試験信号であると認識して第２の光電セルからの電圧の値と第２の所定電圧値との比較結果を第２の比較結果信号として第２の発光駆動部に与えるので、第２の発光ダイオードから第２の比較結果信号としての第２の光信号が発光される。そして、その第２の比較結果信号としての第２の光信号を受光した第１の光電素子からの電気信号が第１の処理装置に与えられ、第１の処理装置はその電気信号を第２の比較結果信号に変換し第２の比較結果信号が示す比較結果に基づく調整指示を第１の発光量調整部に与える。そして、第１の発光量調整部は与えられた調整指示に基づいて第１の発光ダイオードの発光量を調整する。即ち、第２の光電セルからの電圧の値と第２の所定電圧値との比較結果に基づいて第１の発光ダイオードの発光量が調整される。
【００２２】
また、第２の処理装置は発光量調整モードになったことを認識した場合に、第２の試験信号を生成して第２の発光駆動部に与えるので、第２の発光ダイオードから第２の試験信号としての第２の光信号が発光される。そして、その第２の試験信号としての第２の光信号を受光した第１の光電素子からの電気信号が第１の処理装置に与えられ、第１の処理装置はその電気信号が第２の試験信号であると認識して第１の光電セルからの電圧の値と第１の所定電圧値との比較結果を第１の比較結果信号として第１の発光駆動部に与えるので、第１の発光ダイオードから第１の比較結果信号としての第１の光信号が発光される。そして、その第１の比較結果信号としての第１の光信号を受光した第２の光電素子からの電気信号が第２の処理装置に与えられ、第２の処理装置はその電気信号を第１の比較結果信号に変換し第１の比較結果信号が示す比較結果に基づく調整指示を第２の発光量調整部に与える。そして、第２の発光量調整部は与えられた調整指示に基づいて第２の発光ダイオードの発光量を調整する。即ち、第１の光電セルからの電圧の値と第１の所定電圧値との比較結果に基づいて第２の発光ダイオードの発光量が調整される。
【００２３】
また、請求項５の発明では、請求項４の発明において、第１の所定電圧値を、第１の光電素子が安定して動作するために必要な最低限の受光量を第１の光電セルの受光量に換算し、その受光量を与えられたときの第１の光電セルの出力電圧の値とし、第２の所定電圧値を、第２の光電素子が安定して動作するために必要な最低限の受光量を第２の光電セルの受光量に換算し、その受光量を与えられたときの第２の光電セルの出力電圧の値とするようにしている。
【００２４】
このようにすれば、第１の発光ダイオードの発光量が第２の光電素子が安定して動作するために必要な最低限の受光量を得られる適切な発光量となるように調整されるようにできる。また、第２の発光ダイオードの発光量が第１の光電素子が安定して動作するために必要な最低限の受光量を得られる適切な発光量となるように調整されるようにできる。
【００２５】
また、請求項６の発明では、請求項３〜請求項５の発明において、第１の発光ダイオードが発光する光の波長と第２の発光ダイオードが発光する光の波長とが異なるようにしている。このようにすれば、互いの光の干渉が防止されるので、第１の通話装置から第２の通話装置への信号の光伝送と第２の通話装置から第１の通話装置への信号の光伝送とを同時に行うことができる。
【００２６】
また、請求項７の発明では、請求項６の発明において、第１、第２の発光ダイオードの一方の発光ダイオードが発光する光は、波長が８５００オングストローム〜９５００オングストロームの赤外光であり、他方の発光ダイオードが発光する光は、波長が６０００オングストローム〜７５００オングストロームの可視光であるようにしている。このようにすれば、互いの発光ダイオードの光の波長に差があるので、互いの光の干渉が確実に防止される。
【００２７】
また、請求項８の発明では、請求項１〜請求項７の発明において、第１、第２の通話装置のそれぞれは、電池を駆動電源としている。この構成によれば、第１、第２の通話装置への電源供給のための配線が不要となる。
【００２８】
また、請求項９の発明では、請求項８の発明において、第１、第２の通話装置のそれぞれは、待機中である場合に前記電池の電力を起動に必要な部分に供給する電源供給部を備えている。この構成によれば、第１、第２の通話装置の待機中の消費電力が低減され電池の消耗が抑えられる。
【００２９】
また、請求項１０の発明では、請求項１〜請求項９の発明において、第１、第２の通話装置は、同じ形状及び構造であるようにしている。この構成によれば、大量生産効果によりインターホン装置を低コスト化することが可能となる。
【発明の効果】
【００３０】
本発明によると、第１の通話装置と第２の通話装置との間で互いに音声信号をワイヤレスの光伝送で送受信するので、他の電子機器等にその電子機器等を誤動作させてしまうような影響を及ぼすことなく双方向の通話を可能としたインターホン装置が実現できる。
【００３１】
また、インターホン装置を設置する際に、第１の通話装置と第２の通話装置との間に音声信号を伝送するための伝送ケーブル等の信号線や光ファイバー等を設ける必要がないので、それらを家や部屋の壁などに穴を開けて通すというような大がかりな設置工事が不要となり、容易に設置することができるインターホン装置が実現できる。
【００３２】
また、第１の発光ダイオードの発光量を第２の光電素子が安定して動作するために必要な最低限の受光量を得られる適切な発光量となるように調整し、また、第２の発光ダイオードの発光量を第１の光電素子が安定して動作するために必要な最低限の受光量を得られる適切な発光量となるように調整することが可能となるので、発光のための消費電力が低減されるとともに、インターホン装置を設置する場合に第１、第２の通話装置の設置位置の調整や、第１、第２の発光ダイオードの発光量を適切な量に調整する調整作業が不要となる。従って、消費電力が低減でき、容易に設置することができるインターホン装置が実現できる。
【００３３】
また、第１の通話装置から第２の通話装置への信号の光伝送と第２の通話装置から第１の通話装置への信号の光伝送とを同時に行うことができるので、同時に通話をすることができるインターホン装置が実現できる。
【００３４】
また、電池を駆動電源としているので、第１、第２の通話装置への電源供給のための配線が不要となり、さらに容易に設置することができるインターホン装置が実現できる。
【００３５】
また、電力供給部により第１、第２の通話装置の待機中の消費電力が低減され電池の消耗が抑えられるので、インターホン装置の長時間の使用が可能となる。
【００３６】
また、第１、第２の通話装置は、同じ形状及び構造であるようにすれば、大量生産効果によりインターホン装置を低コスト化することが可能となる。
【発明を実施するための最良の形態】
【００３７】
一般的に、家の玄関や会社の会議室、応接室のような部屋のドアには、のぞき窓や、すりガラス、くもりガラス等をはめ込んだ窓が設けられている場合がある。また、玄関やそのような部屋には、ドアの近傍に採光用の窓が設けられている場合もある。本発明は、そのようなドアや窓に容易に設置して使用することができるインターホン装置を実現するものである。
【００３８】
以下に、本発明の実施形態を図面を参照して説明する。図１は、本発明の一実施形態に係るインターホン装置の外観を示す斜視図である。図１に示すインターホン装置は、一対の通話装置Ａ、Ｂから構成されている。通話装置Ａと通話装置Ｂとは同じ形状及び構造であり、室内に設置されるいずれか一方がインターホン親機として使用され、室外に設置される他方がインターホン子機として使用される。
【００３９】
通話装置Ａは、通話装置Ａの本体前面にスピーカ１ａ、マイク２ａ、ボタン３ａを備え、背面に発光部４ａ、受光部５ａを備えている。通話装置Ｂも同様に、通話装置Ｂの本体前面にスピーカ１ｂ、マイク２ｂ、ボタン３ｂを備え、背面に発光部４ｂ、受光部５ｂを備えている。そして、通話装置Ａと通話装置Ｂは、互いの背面同士が対向するように、また、ドアに設けられている光を透過する部分やドアの近傍に設けられている窓ガラス等（不図示）を挟んで室内外にそれぞれ配置されており、発光部４ａから出射された光信号６ａが受光部５ｂに入射され、発光部４ｂから出射された光信号６ｂが受光部５ａに入射されるようになっている。
【００４０】
図２は、図１に示すインターホン装置の電気的構成を示すブロック図である。説明の便宜上、図２において、図１と同一の部分には同一の符号を付している。
【００４１】
通話装置Ａは、スピーカ１ａ、マイク２ａ、ボタン３ａ、発光部４ａ、受光部５ａと、通話装置Ａの各部の制御及び音声制御を行う音声制御部７ａと、電池１１ａと、電池１１ａの電力を音声制御部７ａからの指示に基づいて通話装置Ａの各部に供給する電源供給部１０ａと、マイク２ａからの入力音声信号を増幅して音声制御部７ａに与える増幅器９ａと、音声制御部７ａからの出力音声信号を増幅してスピーカ１ａに与える増幅器８ａとを備えている。
【００４２】
また、通話装置Ｂは、スピーカ１ｂ、マイク２ｂ、ボタン３ｂ、発光部４ｂ、受光部５ｂと、通話装置Ｂの各部の制御及び音声制御を行う音声制御部７ｂと、電池１１ｂと、電池１１ｂの電力を音声制御部７ｂからの指示に基づいて通話装置Ｂの各部に供給する電源供給部１０ｂと、マイク２ｂからの入力音声信号を増幅して音声制御部７ｂに与える増幅器９ｂと、音声制御部７ｂからの出力音声信号を増幅してスピーカ１ｂに与える増幅器８ｂとを備えている。
【００４３】
図３は、図２に示すインターホン装置の通話装置Ａ、Ｂの発光部、受光部、音声制御部のさらに詳細な電気的構成を示すブロック図である。図３において、図２と同一の部分には同一の符号を付している。
【００４４】
通話装置Ａの受光部５ａは、光信号を電気信号に変換するＮＰＮ型のホトトランジスタＱ１ａと、受光量に比例した電圧を出力する光電セルＱ２ａとを有している。ホトトランジスタＱ１ａのエミッタはグランドに接続され、ホトトランジスタＱ１ａのコレクタには抵抗Ｒ１ａを介して電源供給部１０ａからの電源電圧が与えられ、ホトトランジスタＱ１ａのコレクタ電圧が直流成分カット用のコンデンサＣ１ａを介して音声制御部７ａに与えられるようになっている。
【００４５】
また、音声制御部７ａは、光電セルＱ２ａの出力電圧をデジタルデータに変換するＡ／Ｄ（アナログ／デジタル）変換器１２ａと、Ａ／Ｄ変換器１２ａからのデジタルデータを処理するＣＰＵ（Central Processing Unit）１３ａとを含む構成である。
【００４６】
また、発光部４ａは、発光ダイオードＤ１ａと、音声制御部７ａからの信号に基づいて発光ダイオードＤ１ａを駆動する発光駆動部１４ａとで構成され、発光駆動部１４ａは、発光ダイオードＤ１ａに流す電流量を変化させるなどして発光ダイオードＤ１ａの発光量をＣＰＵ１３ａからの調整指示に基づいて調整する発光量調整部１５ａを有している。
【００４７】
一方、通話装置Ｂの受光部５ｂは、光信号を電気信号に変換するＮＰＮ型のホトトランジスタＱ１ｂと、受光量に比例した電圧を出力する光電セルＱ２ｂとを有している。ホトトランジスタＱ１ｂのエミッタはグランドに接続され、ホトトランジスタＱ１ｂのコレクタには抵抗Ｒ１ｂを介して電源供給部１０ｂからの電源電圧が与えられ、ホトトランジスタＱ１ｂのコレクタ電圧が直流成分カット用のコンデンサＣ１ｂを介して音声制御部７ｂに与えられるようになっている。
【００４８】
また、音声制御部７ｂは、光電セルＱ２ｂの出力電圧をデジタルデータに変換するＡ／Ｄ変換器１２ｂと、Ａ／Ｄ変換器１２ｂからのデジタルデータを処理するＣＰＵ１３ｂとを含む構成である。
【００４９】
また、発光部４ｂは、発光ダイオードＤ１ｂと、音声制御部７ｂからの信号に基づいて発光ダイオードＤ１ｂを駆動する発光駆動部１４ｂとで構成され、発光駆動部１４ｂは、発光ダイオードＤ１ｂに流す電流量を変化させるなどして発光ダイオードＤ１ｂの発光量をＣＰＵ１３ｂからの調整指示に基づいて調整する発光量調整部１５ｂを有している。
【００５０】
次に、このような構成のインターホン装置の動作を説明する。先ず、通常の通話動作を説明する。尚、通話装置Ａと通話装置Ｂとは同じ形状及び構造であり、室内に設置されるいずれか一方がインターホン親機として使用され、室外に設置される他方がインターホン子機として使用されるのであるが、以下の説明は、通話装置Ａをインターホン親機、通話装置Ｂをインターホン子機として使用することとして行う。
【００５１】
先ず、図１乃至図３に示すインターホン装置を設置した部屋に来訪者が訪れていないとき、即ち、通話装置Ａ、Ｂがともに待機中のとき、通話装置Ａ、Ｂはともにスタンバイモードとなり、このとき、通話装置Ｂの電源供給部１０ｂは、ボタン３ｂの押下を音声制御部７ｂが認識するために必要な一部にのみ電力供給を行い、他の各部には電力供給が行わないようにして消費電力を低減し電池１１ｂの消耗を防いでいる。
【００５２】
また、通話装置Ａの電源供給部１０ａも、受光部５ａが光信号６ｂを受光したかどうかを音声制御部７ａが認識するために必要な一部のみに電力供給を行い、他の各部には電力供給を行わないようにして消費電力を低減し電池１１ａの消耗を防いでいる。
【００５３】
そして、来訪者が訪れ、室外にある通話装置Ｂのボタン３ｂが押下されると、音声制御部７ｂはこれを認識して、電源供給部１０ｂに対して通話装置Ｂ全体に電源供給するよう指示を与える。これによりスタンバイモードが解除され、通話装置Ｂ全体が起動する。
【００５４】
そして、音声制御部７ｂは呼出信号を生成し、さらにこれを変調した呼出変調信号を発光部４ｂの発光駆動部１４ｂに与え、発光駆動部１４ｂはこの呼出変調信号に基づいて発光ダイオードＤ１ｂを駆動して発光ダイオードＤ１ｂを発光させる。
【００５５】
発光ダイオードＤ１ｂからの呼出変調信号である光信号６ｂは、受光部５ａのホトトランジスタＱ１ａに入射され、ホトトランジスタＱ１ａはこの呼出変調信号である光信号６ｂを電気信号に変換して音声制御部７ａに与える。音声制御部７ａは、ホトトランジスタＱ１ａから電気信号が入力されたことを認識すると、電源供給部１０ａに対して通話装置Ａ全体に電源供給するよう指示を与える。これによりスタンバイモードが解除され、通話装置Ａ全体が起動する。
【００５６】
そして、音声制御部７ａは、ホトトランジスタＱ１ａからの電気信号を復調し、呼出信号であることを認識すると、スピーカ１ａから、例えば「ピンポン」というような所定の呼出音を発音させるための呼出音信号を生成し、増幅器８ａを介してスピーカ１ａに与える。これにより、スピーカ１ａから、例えば「ピンポン」というような所定の呼出音が発音され、室内にいる者は来訪者の存在を認識することができる。
【００５７】
また、室内にいる者が、ボタン３ａを押しながらマイク２ａに向かって、例えば、「はい」或いは「どちらさまですか」というような応答を示す音声を発すると、マイク２ａに入力された入力音声は入力音声信号に変換され、さらに増幅器９ａで増幅されて音声制御部７ａに与えられる。
【００５８】
音声制御部７ａは、増幅器９ａからの入力音声信号を変調して発光部４ａの発光駆動部１４ａに与え、発光駆動部１４ａはこの変調された入力音声信号に基づいて発光ダイオードＤ１ａを駆動して発光ダイオードＤ１ａを発光させる。
【００５９】
発光ダイオードＤ１ａからの変調された入力音声信号である光信号６ａは、受光部５ｂのホトトランジスタＱ１ｂに入射され、ホトトランジスタＱ１ｂはこの変調された入力音声信号である光信号６ａを電気信号に変換して音声制御部７ｂに与える。
【００６０】
そして、音声制御部７ｂは、ホトトランジスタＱ１ｂからの電気信号を元の入力音声信号に復調し、増幅器８ｂを介してスピーカ１ｂに与える。これにより、マイク２ａに入力された、例えば、「はい」或いは「どちらさまですか」というような応答を示す音声がスピーカ１ｂから発音され、来訪者は室内にいる者の発した音声を認識することができる。
【００６１】
また、来訪者が、ボタン３ｂを押しながらマイク２ｂに向かって、例えば、自分の姓名や用件を伝えるための音声を発すると、マイク２ｂに入力された入力音声は入力音声信号に変換され、さらに増幅器９ｂで増幅されて音声制御部７ｂに与えられる。
【００６２】
音声制御部７ｂは、増幅器９ｂからの入力音声信号を変調して発光部４ｂの発光駆動部１４ｂに与え、発光駆動部１４ｂはこの変調された入力音声信号に基づいて発光ダイオードＤ１ｂを駆動して発光ダイオードＤ１ｂを発光させる。
【００６３】
発光ダイオードＤ１ｂからの変調された入力音声信号である光信号６ｂは、受光部５ａのホトトランジスタＱ１ａに入射され、ホトトランジスタＱ１ａはこの変調された入力音声信号である光信号６ｂを電気信号に変換して音声制御部７ａに与える。
【００６４】
そして、音声制御部７ａは、ホトトランジスタＱ１ａからの電気信号を元の入力音声信号に復調し、増幅器８ａを介してスピーカ１ａに与える。これにより、マイク２ｂに入力された、例えば、来訪者の姓名や用件を伝えるための音声がスピーカ１ａから発音され、室内にいる者は来訪者の発した音声を認識することができる。
【００６５】
このようにして、来訪者と室内にいる者とが通話をすることができる。尚、ボタン３ａ、ボタン３ｂを押さずに通話できるようにすることも可能である。
【００６６】
また、来訪者と室内にいる者とは、交互に通話をするのではなく、同時に通話をすることができる。この同時通話を実現するために、発光ダイオードＤ１ａと発光ダイオードＤ１ｂの発光する光の波長は、互いの光の干渉を防止するために異なるものにしている。例えば、発光ダイオードＤ１ａの発光する光は、波長が８５００オングストローム〜９５００オングストロームの赤外光にし、発光ダイオードＤ１ｂの発光する光は、波長が６０００オングストローム〜７５００オングストロームの可視光にすると良い。互いの発光ダイオードの光の波長に適度の差を設けることにより、互いの光の干渉を防ぐことができる。
【００６７】
また、音声制御部７ａは、ボタン３ａが所定時間以上押下されない場合、且つ、マイク２ａに前記所定時間以上音声入力がされない場合、且つ、受光部５ａからの信号が前記所定時間以上入力されない場合には、電源供給部１０ａに指示を与え、受光部５ａが光信号６ｂを受光したかどうかを音声制御部７ｂが認識するために必要な一部のみに電力供給を行い、他の各部には電力供給を行わないようにする。即ち、上記の場合には通話装置Ａはスタンバイモードとなる。
【００６８】
同様に、音声制御部７ｂは、ボタン３ｂが所定時間以上押下されない場合、且つ、マイク２ｂに前記所定時間以上音声入力がされない場合、且つ、受光部５ｂからの信号が前記所定時間以上入力されない場合には、電源供給部１０ｂに指示を与え、ボタン３ｂの押下を音声制御部７ｂが認識するために必要な一部にのみ電力供給を行い、他の各部には電力供給を行わないようにする。即ち、上記の場合には通話装置Ｂはスタンバイモードとなる。
【００６９】
次に、発光ダイオードＤ１ａ、Ｄ１ｂの発光量調整について説明するが、動作説明の前に、この発光ダイオードＤ１ａ、Ｄ１ｂの発光量調整を行う目的について説明する。
【００７０】
通話装置Ａ、Ｂは、図１に示すように、互いの背面を対向させて設置されるが、このとき、発光部４ａの光軸と受光部５ｂの光軸とが同一直線上になるように、且つ、発光部４ｂの光軸と受光部５ａの光軸とが同一直線上になるように設置されるとは限らない。尚、この光軸とは、発光部４ａ、受光部５ａ、発光部４ｂ、受光部５ｂのそれぞれが有する光源、レンズ等の光学系の中心を連ねる直線のことをいう。
【００７１】
例えば、通話装置Ａ、Ｂが、図４に示すように設置される場合もある。図４は、図１に示す通話装置Ａ、Ｂを、通話装置Ａまたは通話装置Ｂの前面から見たときの発光部４ａ、受光部５ａ、発光部４ｂ、受光部５ｂのそれぞれの位置を示す図である。
【００７２】
このように設置されると、発光部４ａの光軸と受光部５ｂの光軸とがずれてしまうので、ホトトランジスタＱ１ｂの受光量は、発光部４ａの光軸と受光部５ｂの光軸とが同一直線上になるように設置された場合に比して減少する。ホトトランジスタＱ１ｂの受光量は、発光部４ａの光軸と受光部５ｂの光軸とのずれが大きいほど、よりいっそう減少する。
【００７３】
また、同様に、発光部４ｂの光軸と受光部５ａの光軸とがずれてしまうので、ホトトランジスタＱ１ａの受光量は、発光部４ｂの光軸と受光部５ａの光軸とが同一直線上になるように設置された場合に比して減少する。ホトトランジスタＱ１ａの受光量は、発光部４ｂの光軸と受光部５ａの光軸とのずれが大きいほど、よりいっそう減少する。
【００７４】
また、例えば、通話装置Ａ、Ｂが、光の透過率が低いくもりガラスのような介在物を挟んで設置される場合もある。その場合、発光部４ａの光軸と受光部５ｂの光軸が同一直線上になるように、且つ、発光部４ｂの光軸と受光部５ａの光軸が同一直上になるように設置されたとしても、光信号がその介在物で減衰してしまい、ホトトランジスタＱ１ａの受光量、及びホトトランジスタＱ１ｂの受光量は、前記介在物が無い場合、或いは、その介在物が光の透過率の高い透明ガラスのような介在物である場合に比して減少する。
【００７５】
上記のような設置状況であっても、ホトトランジスタＱ１ａの受光量、及びホトトランジスタＱ１ｂの受光量が所定の受光量以上となって、安定した光信号の伝送ができるようにするためには、発光ダイオードＤ１ａ、Ｄ１ｂの発光量を調整して増やせば良いが、そのような調整を通話装置Ａ、Ｂの設置状況に応じていちいち行うのは面倒であるとともに作業時間もかかる。
【００７６】
この場合、発光ダイオードＤ１ａ、Ｄ１ｂを最大限の光量で発光させるようにすれば、通話装置Ａ、Ｂの設置状況に応じて発光量調整する必要はなくなるが、そのようにすると、常に最大限の光量での発光をするために消費電力が増大し、電池１１ａ、１１ｂが急速に消耗してしまうことになる。
【００７７】
そこで、本実施形態のインターホン装置は、発光ダイオードＤ１ａ、Ｄ１ｂの発光量を通話装置Ａ、Ｂの設置状況に応じた適切な発光量に自動的に調整するようにしている。以下に、この発光量調整の動作説明を行う。
【００７８】
通話装置Ａのボタン３ａまたは通話装置Ｂのボタン３ｂのいずれかが、例えば、一定時間以上長押しされるなどの特殊な操作をされると、本実施形態のインターホン装置の発光量調整動作が開始する。尚、発光量調整動作を開始させるボタン等を別途設けるようにしても構わない。ここでは、通話装置Ａのボタン３ａが特殊な操作をされて発光量調整動作が開始したものとする。
【００７９】
ボタン３ａが発光量調整動作開始のための特殊な操作をされると、音声制御部７ａはこれを認識して発光量調整モードとなり、音声制御部７ａ内のＣＰＵ１３ａは試験信号を生成し、さらにこれを変調した試験変調信号を発光部４ａの発光駆動部１４ａに与える。発光駆動部１４ａは与えられた試験変調信号に基づいて発光ダイオードＤ１ａを駆動して発光ダイオードＤ１ａを発光させる。また、このとき、ＣＰＵ１３ａは、発光駆動部１４ａ内の発光量調整部１５ａに対して発光ダイオードＤ１ａの発光量を最大にするよう調整指示を与える。
【００８０】
発光ダイオードＤ１ａからの試験変調信号である光信号６ａは、受光部５ｂのホトトランジスタＱ１ｂに入射されるとともに、その一部は光電セルＱ２ｂにも入射される。ホトトランジスタＱ１ｂは試験変調信号である光信号６ａを電気信号に変換して音声制御部７ｂに与え、音声制御部７ｂはホトトランジスタＱ１ｂからの電気信号を復調し、試験信号であることを認識して発光量調整モードとなる。
【００８１】
発光量調整モードとなった音声制御部７ｂのＣＰＵ１３ｂは、光電セルＱ２ｂの出力電圧がＡ／Ｄ変換器１２ｂでＡ／Ｄ変換されたデジタルデータの値と予めＣＰＵ１３ｂに記憶されている基準値とを比較し、その比較結果を示す比較結果信号を変調して発光駆動部１４ｂに与え、発光駆動部１４ｂはこの変調された比較結果信号に基づいて発光ダイオードＤ１ｂを駆動して発光ダイオードＤ１ｂを発光させる。
【００８２】
ここで、ＣＰＵ１３ｂに記憶されている基準値とは、ホトトランジスタＱ１ｂが安定して動作するために必要な最低限の受光量を光電セルＱ２ｂの受光量に換算し、その受光量を与えられたときの光電セルＱ２ｂの電圧をＡ／Ｄ変換した値である。従って、前記デジタルデータの値が前記基準値よりも大きければ、ホトトランジスタＱ１ｂは安定して動作するために必要な最低限の受光量を得ているということになる。尚、ホトトランジスタＱ１ｂの受光量と光電セルＱ２ｂの受光量とは比例関係にある。
【００８３】
そして、ホトトランジスタＱ１ａはこの変調された比較結果信号である光信号６ｂを受光し電気信号に変換して音声制御部７ａに与え、音声制御部７ａは、ホトトランジスタＱ１ａからの電気信号を元の比較結果信号に復調する。そして、発光量調整モードとなっている音声制御部７ａのＣＰＵ１３ａは、この比較結果信号が前記デジタルデータの値が前記基準値より大きいという比較結果を示すものである場合、発光駆動部１４ａ内の発光量調整部１５ａに対して発光ダイオードＤ１ａの発光量を下げるよう調整指示を与えて発光ダイオードＤ１ａの発光量を減少させ、前記比較結果信号が前記デジタルデータの値と前記設定値とが等しいという比較結果を示すものである場合、発光量調整部１５ａに対して発光ダイオードＤ１ａの発光量を現時点での発光量で固定するよう調整指示を与え、発光ダイオードＤ１ａの発光量は固定される。
【００８４】
このようにして、発光ダイオードＤ１ａの発光量は、前記デジタルデータの値とＣＰＵ１３ｂに記憶されている前記基準値とが等しくなるように、即ち、ホトトランジスタＱ１ｂが安定して動作するために必要な最低限の受光量を得られる適切な発光量となるように調整される。
【００８５】
次に、発光ダイオードＤ１ｂの発光量の調整動作に移行する。ＣＰＵ１３ｂは、発光ダイオードＤ１ａの発光量調整終了をＣＰＵ１３ａからの光伝送による終了通知などにより認識すると、試験信号を生成し、さらにこれを変調した試験変調信号を発光部４ｂの発光駆動部１４ｂに与える。発光駆動部１４ｂは与えられた試験変調信号に基づいて発光ダイオードＤ１ｂを駆動して発光ダイオードＤ１ｂを発光させる。また、このとき、ＣＰＵ１３ｂは、発光駆動部１４ｂ内の発光量調整部１５ｂに対して発光ダイオードＤ１ｂの発光量を最大にするよう調整指示を与える。
【００８６】
発光ダイオードＤ１ｂからの試験変調信号である光信号６ｂは、受光部５ａのホトトランジスタＱ１ａに入射されるとともに、その一部は光電セルＱ２ａにも入射される。
【００８７】
発光量調整モードとなっている音声制御部７ａのＣＰＵ１３ａは、光電セルＱ２ａの出力電圧がＡ／Ｄ変換器１２ａでＡ／Ｄ変換されたデジタルデータの値と予めＣＰＵ１３ａに記憶されている基準値とを比較し、その比較結果を示す比較結果信号を変調して発光駆動部１４ａに与え、発光駆動部１４ａはこの変調された比較結果信号に基づいて発光ダイオードＤ１ａを駆動して発光ダイオードＤ１ａを発光させる。
【００８８】
ここで、ＣＰＵ１３ａに記憶されている基準値とは、ホトトランジスタＱ１ａが安定して動作するために必要な最低限の受光量を光電セルＱ２ａの受光量に換算し、その受光量を与えられたときの光電セルＱ２ａの電圧をＡ／Ｄ変換した値である。従って、前記デジタルデータの値が前記基準値よりも大きければ、ホトトランジスタＱ１ａは安定して動作するために必要な最低限の受光量を得ているということになる。尚、ホトトランジスタＱ１ａの受光量と光電セルＱ２ａの受光量とは比例関係にある。
【００８９】
そして、ホトトランジスタＱ１ｂはこの変調された比較結果信号である光信号６ａを受光し電気信号に変換して音声制御部７ｂに与え、音声制御部７ｂは、ホトトランジスタＱ１ｂからの電気信号を元の比較結果信号に復調する。そして、発光量調整モードとなっている音声制御部７ｂのＣＰＵ１３ｂは、この比較結果信号が前記デジタルデータの値が前記基準値より大きいという比較結果を示すものである場合、発光駆動部１４ｂ内の発光量調整部１５ｂに対して発光ダイオードＤ１ｂの発光量を下げるよう調整指示を与えて発光ダイオードＤ１ｂの発光量を減少させ、前記比較結果信号が前記デジタルデータの値と前記設定値とが等しいという比較結果を示すものである場合、発光量調整部１５ｂに対して発光ダイオードＤ１ｂの発光量を現時点での発光量で固定するよう調整指示を与え、発光ダイオードＤ１ｂの発光量は固定される。
【００９０】
このようにして、発光ダイオードＤ１ｂの発光量は、前記デジタルデータの値とＣＰＵ１３ａに記憶されている前記基準値とが等しくなるように、即ち、ホトトランジスタＱ１ａが安定して動作するために必要な最低限の受光量を得られる適切な発光量となるように調整される。以上で、発光量調整動作が終了する。
【００９１】
以上、説明したように、本実施形態によれば、室内外にそれぞれ設置される通話装置Ａと通話装置Ｂとの間で音声信号をワイヤレスの光伝送で送受信するので、他の電子機器等にその電子機器等を誤動作させてしまうような影響を及ぼすことなく、室内外で双方向に通話をすることのできるインターホン装置が実現できる。
【００９２】
また、通話装置Ａの発光ダイオードＤ１ａの光の波長と、通話装置Ｂの発光ダイオードＤ１ｂの光の波長とを異なるものにすることで互いの光の干渉を防ぎ、同時通話を可能としている。
【００９３】
また、本実施形態のインターホン装置を設置する際には、通話装置Ａと通話装置Ｂとの間に音声信号を伝送するための伝送ケーブル等の信号線や光ファイバー等を設ける必要がないので、それらを家や部屋の壁などに穴を開けて通すというような大がかりな設置工事が不要となる。さらに、通話装置Ａ及び通話装置Ｂはいずれも駆動電源として電池を使用しているので、電源供給のための配線も不要となり、容易に設置することができるインターホン装置が実現できる。
【００９４】
また、発光ダイオードＤ１ａ、Ｄ１ｂの発光量を、ホトトランジスタＱ１ａ、Ｑ１ｂが安定して動作するために必要な最低限の受光量を得られる適切な発光量に自動的に調整するようにしているので、通話装置Ａ、Ｂが互いの投光部、受光部の光軸がずれた位置に設置された場合や、通話装置Ａ、Ｂの間に透過性の介在物が存在する場合であっても、通話装置Ａ、Ｂの設置位置の調整や発光ダイオードＤ１ａ、Ｄ１ｂの発光量を調整する調整作業をすることなく、安定して光信号を送受信することができる。また、これにより、発光のための消費電力が低減され電池の消耗が抑えられることにより、インターホン装置の長時間の使用が可能となる。
【００９５】
また、通話装置Ａと通話装置Ｂとは必ずしも同じ形状及び構造とする必要はないが、通話装置Ａと通話装置Ｂとを同じ形状及び構造にすると、大量生産効果により低コスト化することが可能となる。
【００９６】
また、図１に示すインターホン装置は、通話装置Ａの発光部４ａと受光部５ａとの間、及び通話装置Ｂの発光部４ｂと受光部５ｂとの間に所定の距離が設けられているが、通話装置Ａの発光部４ａと受光部５ａ、及び通話装置Ｂの発光部４ｂと受光部５ｂとを近接した位置に設け、例えば、玄関用ドアののぞき窓のような小さい光伝送路を介して互いに光信号を送受信できるようにすることも可能である。
【００９７】
また、図１に示すインターホン装置の通話装置Ａ、Ｂの背面に磁石を設けると、通話装置Ａ、Ｂを磁性体で構成されたドア等に固定したり、非磁性体で構成されたガラス等の部材であっても、互いの磁石の引きつけあう力を利用してその部材を挟みこむように固定したりすることが可能となり、インターホン装置の設置がよりいっそう容易になる。
【００９８】
また、本実施形態は、音声信号のみを送受信するインターホン装置であるが、通話装置Ａ、Ｂのいずれか一方にＣＣＤ等の撮像素子、他方に表示画面を設け、音声信号とともに前記撮像素子で撮像した画像の画像信号を送受信し、前記撮像素子で撮像した画像を表示画面でモニタしながら通話ができるモニタ機能付きのインターホン装置にすることも可能である。
【００９９】
尚、本発明は上述の実施形態に限定されるものではなく、本発明の趣旨を逸脱しない範囲において各部の構成等を適宜に変更して実施することも可能である。
【図面の簡単な説明】
【０１００】
【図１】本発明の一実施形態に係るインターホン装置の外観を示す斜視図である。
【図２】図１に示すインターホン装置の電気的構成を示すブロック図である。
【図３】図２に示すインターホン装置のさらに詳細な電気的構成を示すブロック図である。
【図４】図１に示す一対の通話装置を一方の通話装置の前面から見たときの各発光部、受光部のそれぞれの位置を示す図である。
【符号の説明】
【０１０１】
１ａ    スピーカ（第１のスピーカ）
１ｂ    スピーカ（第２のスピーカ）
２ａ    マイク（第１のマイク）
２ｂ    マイク（第２のマイク）
３ａ、３ｂ    ボタン
４ａ    発光部（第１の発光部）
４ｂ    発光部（第２の発光部）
５ａ    受光部（第１の受光部）
５ｂ    受光部（第２の受光部）
６ａ    光信号（第１の光信号）
６ｂ    光信号（第２の光信号）
７ａ    音声制御部（第１の音声制御部）
７ｂ    音声制御部（第２の音声制御部）
８ａ、８ｂ、９ａ、９ｂ    増幅器
１０ａ、１０ｂ    電源供給部
１１ａ、１１ｂ    電池
１２ａ、１２ｂ    Ａ／Ｄ変換器
１３ａ    ＣＰＵ（第１の処理装置、発光量調整手段）
１３ｂ    ＣＰＵ（第２の処理装置、発光量調整手段）
１４ａ    発光駆動部（第１の発光駆動部）
１４ｂ    発光駆動部（第２の発光駆動部）
１５ａ    発光量調整部（第１の発光量調整部、発光量調整手段）
１５ｂ    発光量調整部（第２の発光量調整部、発光量調整手段）
Ａ    通話装置（第１の通話装置）
Ｂ    通話装置（第２の通話装置）
Ｃ１ａ、Ｃ１ｂ    コンデンサ
Ｄ１ａ    発光ダイオード（第１の発光ダイオード）
Ｄ１ｂ    発光ダイオード（第２の発光ダイオード）
Ｑ１ａ    ホトトランジスタ（第１の光電素子）
Ｑ１ｂ    ホトトランジスタ（第２の光電素子）
Ｑ２ａ    光電セル（第１の光電セル、発光量調整手段）
Ｑ２ｂ    光電セル（第２の光電セル、発光量調整手段）
Ｒ１ａ、Ｒ１ｂ    抵抗
【図１】
2006033378.tif 000003
【図２】
2006033378.tif 000004
【図３】
2006033378.tif 000005
【図４】
2006033378.tif 000006